(57)【要約】【課題】  ＤＱＰＳＫ変調された光信号を多レベルの位相変調信号に復調する光受信器において、１つの干渉計を用いて復調が可能な光受信器を提供すること。【解決手段】  ＤＱＰＳＫ変調された光信号Ａを多レベルの位相変調信号に復調する光受信器において、ＤＱＰＳＫ変調された光信号を２つに分岐し、２つの分岐光が所定位相差を有するように少なくとも一方の分岐光を遅延させ、かつ、２つの分岐光の偏波面が直交関係となるように少なくとも一方の分岐光の偏波面を回転させた後、２つの分岐光を合波する干渉手段２と、該干渉手段からの出力光を分波し、かつ分波光の偏光面を調整する分波調整手段（３〜５）と、該分波調整手段から出力される分波光の各光強度を検出する検出手段６，６’と、該検出手段の各検出信号に基づきＩ（In-phase）成分信号及びＱ（Quadrature）成分信号を生成することと特徴とする。【選択図】図１
2010087900.tif 000002
【特許請求の範囲】
【請求項１】
ＤＱＰＳＫ変調された光信号を多レベルの位相変調信号に復調する光受信器において、
ＤＱＰＳＫ変調された光信号を２つに分岐し、２つの分岐光が所定位相差を有するように少なくとも一方の分岐光を遅延させ、かつ、２つの分岐光の偏波面が直交関係となるように少なくとも一方の分岐光の偏波面を回転させた後、２つの分岐光を合波する、干渉手段と、
該干渉手段からの出力光を分波し、かつ分波光の偏光面を調整する分波調整手段と、
該分波調整手段から出力される分波光の各光強度を検出する検出手段と、
該検出手段の各検出信号に基づきＩ成分信号及びＱ成分信号を生成することを特徴とする光受信器。
【請求項２】
請求項１に記載の光受信器において、該分波調整手段は、
該干渉手段からの出力光を４つに分波する分波手段と、
該分波手段により分波された４つの分波光のうち、２つの分波光の偏波面を４５度又は２２５度となる位相差を与え、他の２つの分波光の偏波面を１３５度又は３１５度となる位相差を与える位相差付与手段と、
４５度又は２２５度の位相差を与えた２つの分波光の一方に対し２２．５度又は２０２．５度の透過偏波面を、他方に対し１１２．５度又は２９２．５度の透過偏波面を有する偏光子と、
１３５度又は３１５度の位相差を与えた２つの分波光の一方に対し２２．５度又は２０２．５度の透過偏波面を、他方に対し１１２．５度又は２９２．５度の透過偏波面を有する偏光子とから構成されることを特徴とする光受信器。
【請求項３】
請求項１に記載の光受信器において、該分波調整手段は、
該干渉手段からの出力光を２つに分波する分波手段と、
該分波手段により分波された各分波光の偏波面を異なる角度で位相差を与える位相差付与手段と、
該偏波面の異なる各分波光を、さらに異なる偏波面の成分を有する２つの分波光に分離する分離手段とから構成されることを特徴とする光受信器。
【請求項４】
請求項１に記載の光受信器において、該分波調整手段は、
該干渉手段からの出力光を２つに分波する分波手段と、
該分波手段により分波された各分波光の偏波面を同じ角度で位相差を与える位相差付与手段と、
該偏波面の同じ各分波光を、さらに異なる偏波面の成分を有する２つの分波光に分離する分離手段とから構成されることを特徴とする光受信器。
【請求項５】
請求項１に記載の光受信器において、該分波調整手段は、
該干渉手段からの出力光の偏波面を所定角度で位相差を与える位相差付与手段と、
該位相差付与手段からの出力光を２つに分波する分波手段と、
該分波された各分波光を、さらに異なる偏波面の成分を有する２つの分波光に分離する分離手段とから構成されることを特徴とする光受信器。
【請求項６】
請求項１乃至５のいずれかに記載の光受信器において、該干渉手段に入射する光波の偏波面の角度を調整するための偏波調整手段を、該干渉手段の前の光路上に配置したことを特徴とする光受信器。
【請求項７】
請求項１乃至６のいずれかに記載の光受信器において、該検出手段は、バランスド受光素子を用いることを特徴とする光受信器。
【請求項８】
請求項１乃至７のいずれかに記載の光受信器において、該干渉手段の分岐光の光路上に光路長を調整する光路長調整手段を有し、該検出手段の検出信号に基づき、該光路長調整手段を制御する制御回路を有することを特徴とする光受信器。
【発明の詳細な説明】
【技術分野】
【０００１】
本発明は、光受信器に関し、特に、ＤＱＰＳＫ変調された光信号を多レベルの位相変調信号に復調する光受信器に関する。
【背景技術】
【０００２】
通信トラフィックの増大に伴い、高速・大容量化が求められる次世代長距離大容量光通信システムでは、多値変復調符号化技術の導入が検討されている。その代表的なものの一つに差動四相位相偏移変調（ＤＱＰＳＫ変調，Differential Quadrature Phase Shift keying）方式がある。この方式では、従来の２値強度変調（ＯＯＫ）方式と比べ、信号帯域が狭く、周波数利用効率の向上や伝送距離の拡大が実現できるほか、高感度化も期待できる。
【０００３】
まず、四相位相偏移変調（ＱＰＳＫ変調，Quadrature Phase Shift keying）方式は、２ビットのデータから構成される各シンボル「００」，「０１」，「１１」及び「１０」に対して、「θ」，「θ＋π／２」，「θ＋π」及び「θ＋３π／２」が割り当てられる。ここで、「θ」は任意の位相である。そして、受信器は、受信信号の位相を検出することにより、送信データを再生する。ＱＰＳＫ変調方式を比較的容易に実現する手段として、ＤＱＰＳＫ変調方式があり、ＤＱＰＳＫ変調では、先に送信したシンボルの値と次に送信するシンボルの値との間の搬送波の位相変化量（「０」,「π／２」，「π」及び「３π／２」）が送信情報の２ビットに対応付けられる。したがって、受信器は、隣接する２つのシンボル間の位相差を検出することにより、送信データを再生することができる。
【０００４】
特許文献１又は２に示すように、ＤＱＰＳＫ変調された光信号を復調するには、Ｉ（In-phase）信号生成用とＱ（Quadrature）信号生成用の２つの遅延干渉計を必要とし、しかも、高精度で位相差を復調する必要がある。しかし、光受信器の周辺温度などの影響で、遅延干渉計内の光路長が変化し、位相が安定しないため、高精度な復調が困難となる。また、いずれの干渉計でどちらの信号成分を復調しているのかが識別できないなど問題があった。また、光信号を分岐し２つの干渉計に導入するまでの光路長差や、各干渉計を構成する光路長の差を、最適に調整する必要があり、制御系が極めて複雑化するという問題を生じていた。
【特許文献１】特開２００６−２９５６０３号公報
【特許文献２】特開２００７−１５８８５２号公報
【発明の開示】
【発明が解決しようとする課題】
【０００５】
本発明が解決しようとする課題は、上述したような問題を解決し、ＤＱＰＳＫ変調された光信号を多レベルの位相変調信号に復調する光受信器において、１つの干渉計を用いて復調が可能な光受信器を提供することである。
【課題を解決するための手段】
【０００６】
上記課題を解決するため、請求項１に係る発明では、ＤＱＰＳＫ変調された光信号を多レベルの位相変調信号に復調する光受信器において、ＤＱＰＳＫ変調された光信号を２つに分岐し、２つの分岐光が所定位相差を有するように少なくとも一方の分岐光を遅延させ、かつ、２つの分岐光の偏波面が直交関係となるように少なくとも一方の分岐光の偏波面を回転させた後、２つの分岐光を合波する干渉手段と、該干渉手段からの出力光を分波し、かつ分波光の偏光面を調整する分波調整手段と、該分波調整手段から出力される分波光の各光強度を検出する検出手段と、該検出手段の各検出信号に基づきＩ成分信号及びＱ成分信号を生成することを特徴とする。
【０００７】
請求項２に係る発明では、請求項１に記載の光受信器において、該分波調整手段は、該干渉手段からの出力光を４つに分波する分波手段と、該分波手段により分波された４つの分波光のうち、２つの分波光の偏波面を４５度又は２２５度となる位相差を与え、他の２つの分波光の偏波面を１３５度又は３１５度となる位相差を与える位相差付与手段と、４５度又は２２５度の位相差を与えた２つの分波光の一方に対し２２．５度又は２０２．５度の透過偏波面を、他方に対し１１２．５度又は２９２．５度の透過偏波面を有する偏光子と、１３５度又は３１５度の位相差を与えた２つの分波光の一方に対し２２．５度又は２０２．５度の透過偏波面を、他方に対し１１２．５度又は２９２．５度の透過偏波面を有する偏光子とから構成されることを特徴とする。
【０００８】
本発明に係る光受信器が取り得る各種の位相差や透過偏波面に対応した角度は、特許請求の範囲に明示された数値のみに限らず、本発明の目的を達成可能な範囲において、明示された数値から若干外れた値も含むものである。
【０００９】
請求項３に係る発明では、請求項１に記載の光受信器において、該分波調整手段は、該干渉手段からの出力光を２つに分波する分波手段と、該分波手段により分波された各分波光の偏波面を異なる角度で位相差を与える位相差付与手段と、該偏波面の異なる各分波光を、さらに異なる偏波面の成分を有する２つの分波光に分離する分離手段とから構成されることを特徴とする。
【００１０】
請求項４に係る発明では、請求項１に記載の光受信器において、該分波調整手段は、該干渉手段からの出力光を２つに分波する分波手段と、該分波手段により分波された各分波光の偏波面を同じ角度で位相差を与える位相差付与手段と、該偏波面の同じ各分波光を、さらに異なる偏波面の成分を有する２つの分波光に分離する分離手段とから構成されることを特徴とする。
【００１１】
請求項５に係る発明では、請求項１に記載の光受信器において、該分波調整手段は、該干渉手段からの出力光の偏波面を所定角度で位相差を与える位相差付与手段と、該位相差付与手段からの出力光を２つに分波する分波手段と、該分波された各分波光を、さらに異なる偏波面の成分を有する２つの分波光に分離する分離手段とから構成されることを特徴とする。
【００１２】
請求項６に係る発明では、請求項１乃至５のいずれかに記載の光受信器において、該干渉手段に入射する光波の偏波面の角度を調整するための偏波調整手段を、該干渉手段の前の光路上に配置したことを特徴とする。
【００１３】
請求項７に係る発明では、請求項１乃至６のいずれかに記載の光受信器において、該検出手段は、バランスド受光素子（差動受光素子）を用いることを特徴とする。
【００１４】
請求項８に係る発明では、請求項１乃至７のいずれかに記載の光受信器において、該干渉手段の分岐光の光路上に光路長を調整する光路長調整手段を有し、該検出手段の検出信号に基づき、該光路長調整手段を制御する制御回路を有することを特徴とする。
【発明の効果】
【００１５】
請求項１に係る発明により、ＤＱＰＳＫ変調された光信号を多レベルの位相変調信号に復調する光受信器において、ＤＱＰＳＫ変調された光信号を２つに分岐し、２つの分岐光が所定位相差を有するように少なくとも一方の分岐光を遅延させ、かつ、２つの分岐光の偏波面が直交関係となるように少なくとも一方の分岐光の偏波面を回転させた後、２つの分岐光を合波する干渉手段と、該干渉手段からの出力光を分波し、かつ分波光の偏光面を調整する分波調整手段と、該分波調整手段から出力される分波光の各光強度を検出する検出手段と、該検出手段の各検出信号に基づきＩ成分信号及びＱ成分信号を生成するため、一つの干渉手段のみを用いて、Ｉ成分信号及びＱ成分信号を復調することが可能となる。しかも、一つの干渉手段しか使用していないため、高精度な復調を得るために、干渉手段内の調整すべき光路長も一か所で十分であり、制御系も大幅に簡略化することが可能となる。
【００１６】
請求項２に係る発明により、分波調整手段は、干渉手段からの出力光を４つに分波する分波手段と、該分波手段により分波された４つの分波光のうち、２つの分波光の偏波面を４５度又は２２５度となる位相差を与え、他の２つの分波光の偏波面を１３５度又は３１５度となる位相差を与える位相差付与手段と、４５度又は２２５度の位相差を与えた２つの分波光の一方に対し２２．５度又は２０２．５度の透過偏波面を、他方に対し１１２．５度又は２９２．５度の透過偏波面を有する偏光子と、１３５度又は３１５度の位相差を与えた２つの分波光の一方に対し２２．５度又は２０２．５度の透過偏波面を、他方に対し１１２．５度又は２９２．５度の透過偏波面を有する偏光子とから構成されるため、上記一つの干渉手段からの出力光から容易にＩ成分信号及びＱ成分信号を復調することが可能となる。しかも、各段階の複数の光波が互いに異なる偏波面となるよう最適に設定でき、近接する偏波面が混信し、信号が劣化するなどの弊害を抑制することが可能となる。
【００１７】
請求項３に係る発明により、分波調整手段は、干渉手段からの出力光を２つに分波する分波手段と、該分波手段により分波された各分波光の偏波面を異なる角度で位相差を与える位相差付与手段と、該偏波面の異なる各分波光を、さらに異なる偏波面の成分を有する２つの分波光に分離する分離手段とから構成されるため、上記一つの干渉手段からの出力光から容易にＩ成分信号及びＱ成分信号を復調することが可能となる。
【００１８】
請求項４に係る発明により、分波調整手段は、干渉手段からの出力光を２つに分波する分波手段と、該分波手段により分波された各分波光の偏波面を同じ角度で位相差を与える位相差付与手段と、該偏波面の同じ各分波光を、さらに異なる偏波面の成分を有する２つの分波光に分離する分離手段とから構成されるため、上記一つの干渉手段からの出力光から容易にＩ成分信号及びＱ成分信号を復調することが可能となる。
【００１９】
請求項５に係る発明により、分波調整手段は、干渉手段からの出力光の偏波面を所定角度で位相差を与える位相差付与手段と、該位相差付与手段からの出力光を２つに分波する分波手段と、該分波された各分波光を、さらに異なる偏波面の成分を有する２つの分波光に分離する分離手段とから構成されるため、上記一つの干渉手段からの出力光から容易にＩ成分信号及びＱ成分信号を復調することが可能となる。
【００２０】
請求項６に係る発明により、干渉手段に入射する光波の偏波面の角度を調整するための偏波調整手段を、該干渉手段の前の光路上に配置したため、干渉手段における偏波面の回転調整をより正確に行うことが可能となり、２つの分岐光の偏波面に係る直交関係を、より正確に実現することができる。
【００２１】
請求項７に係る発明により、検出手段は、バランスド受光素子（差動受光素子）を用いるため、バランスド受光素子の出力信号から容易にＩ成分信号及びＱ成分信号を得ることができる。
【００２２】
請求項８に係る発明により、干渉手段の分岐光の光路上に光路長を調整する光路長調整手段を有し、検出手段の検出信号に基づき、該光路長調整手段を制御する制御回路を有するため、光受信器の周辺温度などの影響で、干渉手段内の光路長が変化した場合でも、高精度な復調が可能なように、常に最適な光路長への調整が可能となる。特に、本発明では、干渉手段が一つであるため、光路長の調整も一か所で済み、制御回路も極めて簡略することが可能となる。
【発明を実施するための最良の形態】
【００２３】
以下、本発明を好適例を用いて詳細に説明する。
本発明は、図１に示すように、ＤＱＰＳＫ変調された光信号Ａを多レベルの位相変調信号に復調する光受信器において、ＤＱＰＳＫ変調された光信号を２つに分岐し、２つの分岐光が所定位相差を有するように少なくとも一方の分岐光を遅延させ、かつ、２つの分岐光の偏波面が直交関係となるように少なくとも一方の分岐光の偏波面を回転させた後、２つの分岐光を合波する干渉手段２と、該干渉手段からの出力光を分波し、かつ分波光の偏光面を調整する分波調整手段（３〜５）と、該分波調整手段から出力される分波光の各光強度を検出する検出手段６，６’と、該検出手段の各検出信号に基づきＩ（In-phase）成分信号及びＱ（Quadrature）成分信号を生成することを特徴とする。
【００２４】
本発明の光受信器の特徴は、Ｉ成分信号及びＱ成分信号の復調を行うために必要な干渉計が、図１に示すように、一つの干渉手段２のみから構成されることである。干渉手段２の構成は、次のような機能を達成するために必要な光学部品を任意に組み合わせることが可能である。
（１）ＤＱＰＳＫ変調された光信号を２つに分岐すること
（２）２つの分岐光が所定位相差を有するように少なくとも一方の分岐光を遅延させること
（３）２つの分岐光の偏波面が直交関係となるように少なくとも一方の分岐光の偏波面を回転させること
（４）上記（２）及び（３）の状態を維持しながら２つの分岐光を合波すること
【００２５】
上記機能を実現する方法として、図１に示すように、分岐部２１で分岐された分岐導波路の一方に遅延導波路２２を形成し、他方の分岐導波路に偏波面を回転させる波長板２３を設ける。そして、遅延導波路２２と波長板２３とを各々通過した光波を合波するための合波部２４を設けている。
【００２６】
本発明の光受信器に係る干渉手段２は、図１のものに限らず、遅延導波路２２を他の分岐導波路にも設け、２つの遅延導波路により結果として所定の位相差を実現できるように構成することも可能である。また、偏波面を回転する波長板２３についても、他の分岐導波路にも設け、２つの波長板により結果として２つの分岐光の偏波面が直交関係となるように、構成することも可能である。
【００２７】
遅延導波路２２としては、遅延に必要な長さを有する光導波路として構成することも可能であるが、光導波路の部分的な屈折率を光屈折率化又は低屈折率化して、分岐導波路間で相対的な遅延が発生するよう構成することも可能である。
【００２８】
遅延させる所定の位相差は、通常、伝送される信号の１ビット分の位相差に設定される。
【００２９】
波長板２３には、偏波面を直交関係にするには、通常、１／２波長板が利用される。本発明の光受信器は、波長板に限定されるものではなく、波長板に代えてファラデー素子などの偏波面を回転させる手段であれば、種々のものを最小することが可能である。
【００３０】
干渉手段２は、ビームスプリッターやミラーなどを利用した空間光学系で構成する方法、光カプラーや光ファイバーなどを利用した光導波路による光学系で構成する方法、さらには、ニオブ酸リチウム等の電気光学効果を有する基板などの各種基板の表面に形成された光導波路を利用し、同一基板上に集積光学系として構成する方法など、種々の方法が利用可能である。また、必要に応じて、図１に示す各種光学素子を組み合わせ単一の光学部品として構成することも可能である。
【００３１】
図１では、干渉手段２に入射する光波Ｂの偏波面の角度を調整するための偏波調整手段（偏波コントローラ）１を、該干渉手段２の前の光路上に配置している。図１の符号Ａの上側に図示する２つの矢印は偏波面の角度を表わし、実線の矢印は先行ビット位相の偏波面、破線の矢印は先行ビット位相に続く次のビット位相（次ビット位相）の偏波面を示している。
【００３２】
図１に示すように、偏波調整手段１により、光受信器に入射する光波Ａの偏波面が、干渉手段２に入射するまでに、光波Ｂのように偏波面が所定の方向に揃えるため、干渉手段２における偏波面の回転調整をより正確に行うことが可能となり、２つの分岐光の偏波面に係る直交関係を、より正確に実現することができる。符号Ｂの下側に図示された２つの矢印は、符号Ａと同様である。
【００３３】
干渉手段２に入射した光波（光信号）Ｂは、２つに分岐され、一方の分岐光は遅延導波路２２により、１ビット分に相当する位相分だけ、他方の分岐光（１／２波長板２３を通過する光波）より遅延させられる。また、１／２波長板２３を通過する光波は、偏波面が９０度回転させられる。この結果、合波部２４で合波された分岐光は、符号Ｃの下側に図示されるように、遅延導波路２２を通過した先行ビット位相の光波（実線矢印）と、波長板２３を通過し偏波面が９０度回転させられた次ビット位相の光波（破線矢印）とが重なり合うこととなる。
【００３４】
図１では、分波調整手段は、干渉手段からの出力光を４つに分波する分波手段３と、該分波手段により分波された４つの分波光のうち、２つの分波光の偏波面を４５度又は２２５度となる位相差を（ａ１，ｂ１により）与え、他の２つの分波光の偏波面を１３５度又は３１５度となる位相差を（ｃ１，ｄ１により）与える位相差付与手段４と、４５度又は２２５度の位相差を与えた２つの分波光の一方に対し（ａ２により）２２．５度又は２０２．５度の透過偏波面を、他方に対し（ｂ２により）１１２．５度又は２９２．５度の透過偏波面を有する偏光子５と、１３５度又は３１５度の位相差を与えた２つの分波光の一方に対し（ｃ２により）２２．５度又は２０２．５度の透過偏波面を、他方に対し（ｄ２により）１１２．５度又は２９２．５度の透過偏波面を有する偏光子５とから構成されるため、上記一つの干渉手段からの出力光から容易にＩ成分信号及びＱ成分信号を復調することが可能となる。しかも、各段階の複数の光波が互いに異なる偏波面となるよう最適に設定でき、近接する偏波面が混信し、信号が劣化するなどの弊害を抑制することが可能となる。
【００３５】
合波光Ｃは、分波手段３により４つの分波光に分けられる。分波手段は、ビームスプリッター、光カプラー、さらには、電気光学効果を有する基板などの基板表面に形成された分岐導波路を、各々複数組み合わせて構成することができる。ただし、分波手段３で分波された分波光は、その後の位相差付与手段４や偏光子５などで偏波面の状態が正確に制御されることとなるため、分波手段３も偏波面を一定に保持する構造を有する光学系で構成することが必要である。
【００３６】
４つ分波光は位相差付与手段４に入射され、その内の２つの分波光の偏波面は、位相差付与手段ａ１，ｂ１により、４５度又は２２５度のいずれかの角度で位相差が付与される。ａ１とｂ１とは、同じ角度の位相差であっても異なる角度の位相差であっても良い（以下、他の位相差付与手段や他の偏光子に設定される所定角度についても、同様である。）。また、他の２つの分波光の偏波面は、位相差付与手段ｃ１，ｄ１により、１３５度又は３１５度のいずれかの角度で位相差が付与される。各位相差に係る角度は、特に限定されないが、Ｉ成分信号に対応する光波（２つの分波光）とＱ成分信号に対応する光波（２つの分波光）とが、位相差付与手段で付与された光波の偏波面が互いに直交する状態となるように設定することが、好ましい。これにより、近接する偏波面が混信し信号が劣化するなどの弊害を抑制するとともに、光信号の中から必要な成分をより効率的に抽出することが可能となる。
【００３７】
具体的には、各位相差付与手段ａ１，ｂ１は、所定角度として４５度又は２２５度のいずれかに偏波面を回転させる。また、位相差付与手段ｃ１，ｄ１は、位相差に係る角度を１３５度又は３１５度のいずれかに回転させる。このような位相差付与手段としては、例えば、１／４波長板などが好適に利用可能である。
【００３８】
また、位相差付与手段ａ１，ｂ１（又はｃ１，ｄ１）は、共に同じ角度だけ偏波面を回転させる場合には、２つの位相差付与手段を一つの波長板で構成することも可能である。さらに、分波手段３では４つの分波光に分けたが、まず２つの分波光に分け、位相差付与手段を経た後に、２つの分波光にさらに分波させることも可能である。
【００３９】
位相差付与手段で偏波面が所定角度だけ回転された分波光は、透過偏波面が異なる２つの偏光子５を通過させられる。この偏光子５により、各透過偏波面に対応した分波光が抽出される。２つの偏光子ａ２，ｂ２（又はｃ２，ｄ２）が形成する透過偏波面のなす角度は、分波光のベクトル成分を正確に把握するため、９０度とすることが好ましいが、本発明は、必ずしもこれに限定されるものではない。
【００４０】
偏光子の透過面の角度としては、偏光子ａ２，ｃ２は２２．５度又は２０２．５度が設定可能であり、偏光子ｂ２，ｄ２は１１２．５度又は２９２．５度が設定可能である。なお、本発明に係る光受信器が取り得る各種の位相差や透過偏波面に対応した角度は、明示された数値のみに限らず、本発明の目的を達成可能な範囲において、明示された数値から若干外れた値も選択可能であることは言うまでもない。
【００４１】
偏光子５を出射した光波は、光強度を検出するため受光素子６，６’に入射され、必要に応じて検出信号が増幅器７，７’により増幅させられる。受光素子は、各偏光子ａ２〜ｄ２に対応して独立して設け、各受光素子の検出信号を適宜比較し、信号成分を判別することも可能であるが、図１に示すように、バランスド（差動）受光素子を利用することで、信号成分の判別回路を省略することも可能となる。
【００４２】
位相差付与手段４であるａ１及びｂ１で、偏波面を４５度（又は２２５度）回転させ、偏光子５であるａ２とｂ２で各々２２．５度（又は２０２．５度）と１１２．５度(又は２９２．５度）の透過偏波面を設けた場合には、バランスド受光素子６から出力される信号は、Ｉ成分信号となる。また、位相差付与手段４であるｃ１及びｄ１で、偏波面を１３５度（又は３１５度（−４５度））回転させ、偏光子５であるｃ２とｄ２で各々２２．５度(又は２０２．５度）と１１２．５度（又は２９２．５度）の透過偏波面を設けた場合には、バランスド受光素子６’から出力される信号は、Ｑ成分信号となる。
【００４３】
次に、分波調整手段の他の実施例について説明する。
図９に示す分波調整手段は、干渉手段からの出力光を２つに分波する分波手段３０と、該分波手段により分波された各分波光の偏波面を異なる角度で位相差を与える位相差付与手段４０，４１と、該偏波面の異なる各分波光を、さらに異なる偏波面の成分を有する２つの分波光に分離する分離手段５０，５１とから構成される。分離手段から出力される４つの光波は、受光素子６０〜６１に入射し、各光波の光強度に応じた検出信号を出力する。
【００４４】
位相差付与手段４０，４１には、１／４波長板が利用可能であり、位相差付与手段４０における位相差に係る角度は、４５度又は２２５度が選択可能であり、他方の位相差付与手段４１における位相差に係る角度は、１３５度又は３１５度が選択される。
【００４５】
分離手段５０，５１には、偏光ビームスプリッター（ＰＢＳ）が利用でき、偏光角として２２．５度又は２０２．５度のいずれかが選択可能である。
【００４６】
図１０に示す分波調整手段は、干渉手段からの出力光を２つに分波する分波手段３０と、該分波手段により分波された各分波光の偏波面を同じ角度で位相差を与える位相差付与手段４０と、該偏波面の同じ各分波光を、さらに異なる偏波面の成分を有する２つの分波光に分離する分離手段５２，５３とから構成される。
【００４７】
また、図１０において、分波手段（ｅ）と位相差付与手段（ｆ）との順番を逆にし、干渉手段からの出力光の偏波面を所定角度で位相差を与える位相差付与手段と、該位相差付与手段からの出力光を２つに分波する分波手段と、該分波された各分波光を、さらに異なる偏波面の成分を有する２つの分波光に分離する分離手段とから構成される分波調整手段とすることも可能である。
【００４８】
位相差付与手段（ｆ）、分離手段（ｇ）及び（ｈ）における偏波と主軸との角度は、表１に示すように各種の値が選択可能であり、結果として、位相差付与手段（ｆ）は、４５度，１３５度，２２５度，又は３１５度、分離手段（ｇ）は、９０±２２．５度，１８０±２２．５度，２７０±２２．５度，又は３６０±２２．５度、分離手段（ｈ）は、２２．５度，１１２．５度，２０２．５度，又は２９２．５度が各々選択できる。
【００４９】
【表１】
2010087900.tif 000003
【００５０】
ここで、受光素子における受光パワーを理論的に求める。位相差付与手段を±４５°の１／４λ波長板としたとき、そのストークスマトリクスは、偏光子回転角度をφとすると、式（１）で表わされる。
【００５１】
【数１】
2010087900.tif 000004
【００５２】
次に傾きのある検光子のストークス行列は、以下の式（２）となり、また、一般的な楕円偏光をベクトル表示すると、以下の式（３）のとおりとなる。ただし、εは楕円角、Ａは回転角度で、図１１に示すような定義で表現される。
【００５３】
【数２】
2010087900.tif 000005
【００５４】
【数３】
2010087900.tif 000006
【００５５】
これらを用いて、受光素子６０，６１の受けるパワーは、式（４）となり、同様に、受光素子６２、６３の受けるパワーは、式（５）のようになる。
【００５６】
【数４】
2010087900.tif 000007
【００５７】
【数５】
2010087900.tif 000008
【００５８】
次に、図２乃至８に、図１における各光学素子を通過する光波の状態の変化及び受光素子で検出される相対的な出力値、並びにバランスド受光素子による論理判定結果を示す。
【００５９】
図２乃至５は、先行ビット位相（実線矢印）は全て０とし、かつ次ビット位相（破線矢印）は０，π／２，π及び３π／２の４つの状態を選択した場合について、分波手段３により４分岐された直後の偏波状態（「４分岐直後」欄参照）、位相差付与手段（ａ１〜ｄ１）を通過した光波の偏波状態（「位相差付与手段後」欄参照）、さらに、偏光子（ａ２〜ｄ２）を経た光波の振幅値を「偏光子後」の欄に示したものである。例えば、「偏光子ａ２後」は、ε＝０°、Ａ＝４５°に相当し、上述した各式に代入すると、０．９２となる。このようにして、図２のような入力振幅が求められる。
【００６０】
図６（図７）は、各偏光子ａ２，ｂ２（ｃ２，ｄ２）を透過した光波を、バランスド受光素子６（６’）に入れた際に、Ｉ成分（Ｑ成分）として出力される検出信号（「出力電流」欄参照）を示したものである。また、「偏光子ａ２後」と「偏光子ｂ２後」との間の不等号は、両者の出力電流の大小を示すためのものである。さらに、図８は、図６及び７に基づき、先行ビット位相と次ビット位相との信号状態の変化に対応する、Ｉ成分とＱ成分との信号状態の変化を示したものであり、ＤＱＰＳＫ変調におけるＩ成分及びＱ成分が、正確に復調されていることが容易に理解される。
【００６１】
本発明の光受信器は、干渉手段２の分岐光の光路上に光路長を調整する光路長調整手段（不図示）を設けることが可能である。光路長調整手段としては、基板の温度を意図的に変化させるものや、電気光学効果を有する基板に光導波路を設け、該光導波路に印加する電界の強さを可変するものなどが採用可能である。
【００６２】
そして、図１に示す検出手段、例えば、バランスド受光素子６，６’、あるいは、各偏光子に対応して個別に設けられた受光素子からの検出信号に基づき、上記光路長調整手段を制御する制御回路（不図示）を設けることも可能である。具体的には、光信号が所定の状態の際に、個別の検出信号の値を最大又は最小とするように、光路長調整手段を制御する方法など、種々の方法が採用可能である。
【００６３】
このような構成を有することで、光受信器の周辺温度などの影響で、干渉手段内の光路長が変化した場合でも、高精度な復調が可能なように、常に最適な光路長への調整が可能となる。特に、本発明では、干渉手段が一つであるため、光路長の調整も一か所で済み、制御回路も極めて簡略することが可能となる。
【産業上の利用可能性】
【００６４】
以上説明したように、本発明によれば、ＤＱＰＳＫ変調された光信号を多レベルの位相変調信号に復調する光受信器において、１つの干渉計を用いて復調が可能な光受信器を提供することが可能となる。
【図面の簡単な説明】
【００６５】
【図１】本発明に係る光受信器の概略図である。
【図２】図１における位相差付与手段ａ１及び偏光子ａ２を通過する光波の偏波状態等を示す表である。
【図３】図１における位相差付与手段ｂ１及び偏光子ｂ２を通過する光波の偏波状態等を示す表である。
【図４】図１における位相差付与手段ｃ１及び偏光子ｃ２を通過する光波の偏波状態等を示す表である。
【図５】図１における位相差付与手段ｄ１及び偏光子ｄ２を通過する光波の偏波状態等を示す表である。
【図６】図２及び３に基づき、バランスド受光素子６の信号成分（Ｉ成分）の状態を説明する表である。
【図７】図４及び５に基づき、バランスド受光素子６’の信号成分（Ｑ成分）の状態を説明する表である。
【図８】図６及び７に基づき、光信号のビット位相状態とＩ成分及びＱ成分の状態とを対比する表である。
【図９】分波調整手段の第２実施例を示す図である。
【図１０】分波調整手段の第３実施例を示す図である。
【図１１】楕円角ε、回転角度Ａの定義を説明する図である。
【符号の説明】
【００６６】
１  偏波調整手段
２  干渉手段
３，３０  分波手段
４，４０，４１  位相差付与手段
５  偏光子
６，６’  バランスド受光素子
７，７’  増幅器
２１  分岐部
２２  遅延導波路
２３  波長板
２４  合波部
５０〜５３  分離手段（偏光ビームスプリッター）
６０〜６３  受光素子
【図１】
2010087900.tif 000009
【図２】
2010087900.tif 000010
【図３】
2010087900.tif 000011
【図４】
2010087900.tif 000012
【図５】
2010087900.tif 000013
【図６】
2010087900.tif 000014
【図７】
2010087900.tif 000015
【図８】
2010087900.tif 000016
【図９】
2010087900.tif 000017
【図１０】
2010087900.tif 000018
【図１１】
2010087900.tif 000019